(57)【要約】【課題】複合ガラス板をレーザーを用いて高エッジクオリティでストライプに分断できるような、特に幅狭のエッジストライプを切断できるような方法およびこれに適した装置を提供する。【解決手段】方法においては、レーザー光線と冷媒流とを下側から下部ガラス板の外面に対し指向させ、上部ガラス板の外面を介してレーザーによりもたらされた熱をヒートパイプにより取り出す。分断線の領域にある接着剤層を引き剥がすための機械的な力を上側から分断線にもたらして、分断線のまわりに下方へ複合ガラス板（６）を曲げる。レーザー光線と冷媒流とを上側から上部ガラス板の外面へ指向させることにより、分断線に沿って上部ガラス板を切断する。【選択図】  図１
2008201669.tif 000002
【特許請求の範囲】
【請求項１】
少なくとも部分的に接着剤層を介して互いに結合されている２つのガラス板から成る複合ガラス板（６）を互いに平行なエッジストライプと利用ストライプとの複数のストライプに分断するための方法であって、複合ガラス板（６）を載置面上に水平方向に載置し、分断線に沿ってレーザー光線を案内し、次に冷媒流を案内することにより、両ガラス板にそれぞれその外面から所定の分断線に沿ってそれぞれガラス板を完全に貫通する分断クラックを生じさせるようにした前記方法において、
レーザー光線と冷媒流とを下側から下部ガラス板の外面に対し指向させ、上部ガラス板の外面を介してレーザーによりもたらされた熱をヒートパイプにより取り出すこと、
分断線の領域にある接着剤層を引き剥がすための機械的な力を上側から分断線にもたらして、分断線のまわりに下方へ複合ガラス板（６）を曲げること、
レーザー光線と冷媒流とを上側から上部ガラス板の外面へ指向させることにより、分断線に沿って上部ガラス板を切断すること、
を特徴とする方法。
【請求項２】
複合ガラス板（６）から幅狭のエッジストライプのみを切り離すようにした請求項１に記載の方法において、下部ガラス板を切断する際に、複合ガラス板（６）を分断線の片側のみに載置し、冷媒流に引き続いて、複合ガラス板（６）の非載置部分を支持させて、下部ガラス板の切断中または切断後に非載置部分が裂傷するのを避けることを特徴とする方法。
【請求項３】
非載置部分の支持を、フラップ（１３）を載置面へ上方へ回動させることにより行なうことを特徴とする、請求項２に記載の方法。
【請求項４】
少なくとも部分的に接着剤層を介して互いに結合されている２つのガラス板から成る複合ガラス板（６）を互いに平行なエッジストライプと利用ストライプとの複数のストライプに分断するための装置であって、
複合ガラス板（６）を水平方向に載置するための作業テーブルであって、固定部分（１）と位置調整部分（２）とを備え、固定部分（１）と位置調整部分（２）とが、作業テーブルの幅方向に平行に延びて互いに位置調整可能な、所定の作業隙間（５）を形成させるための２つの外側エッジと、互いに整列した前記外側エッジに対し垂直に延在している溝（９）によって中断された、共通の水平面内の載置面とを有している前記作業テーブルと、
上部ガラス板を切断するための上部工具ヘッド（３）であって、レーザービーム出口と冷媒流出口とを備え、作業テーブルの上方を該作業テーブルの幅方向に移動可能に配置されている前記上部工具ヘッド（３）と、
下部ガラス板を切断するための下部工具ヘッド（３）であって、レーザービーム出口と冷媒流出口とを備え、作業テーブルの下方を該作業テーブルの幅方向に作業隙間（５）に沿って移動可能に配置されている前期下部工具ヘッド（３）と、
を有している前記装置において、
作業テーブル固定部分（１）と位置調整部分（２）の一方に、溝（９）の下方に位置するように、上方へ回動可能なフラップ（１３）を備えたそれぞれ１つのフラップアッセンブリ（１１）が取り付けられ、フラップ（１１）が上方へ回動した位置で、その上にある溝（９）が載置面の高さでフラップ（１３）の一部分によって閉鎖され、且つフラップ（１３）の他の部分が前記外側エッジを越えて突出していることにより、外側エッジを越えて突出するように載置されている複合ガラス板（６）を支持するとともに、前記外側エッジに境を接している連続した載置面を形成させること、
所定の作業隙間（５）よりも幅狭で、作業隙間（５）を介して位置決め可能で且つ降下可能な押さえ（１７）が設けられ、押さえ（１７）を支台およびヒートシンクとして複合ガラス板（６）に当接させるとともに、該押さえ（１７）を介して複合ガラス板（６）に対し曲げ力を作用させること、
を特徴とする装置。
【請求項５】
押さえ（１７）が熱伝導性に優れた材料から中実に製造されたパッシブなヒートシンクであることを特徴とする、請求項４に記載の装置。
【請求項６】
押さえ（１７）に冷媒管を一体的に設け、且つ冷媒供給部と冷媒排出部とを設けることにより、押さえ（１７）をヒートシンクとして構成したことを特徴とする、請求項４に記載の装置。
【請求項７】
複合ガラス板（６）の、作業隙間（５）と下部工具ヘッド（４）との上方にある部分を、押さえ（１７）に当接させるため、下部工具ヘッド（４）に押圧ローラ（１５）が設けられていることを特徴とする、請求項４に記載の装置。
【発明の詳細な説明】
【技術分野】
【０００１】
本発明は、少なくとも部分的に接着剤層を介して互いに結合されている２つのガラス板から成る複合ガラス板を互いに平行なエッジストライプと利用ストライプとの複数のストライプに分断するための方法であって、複合ガラス板を載置面上に水平方向に載置し、分断線に沿ってレーザー光線を案内し、次に冷媒流を案内することにより、両ガラス板にそれぞれその外面から所定の分断線に沿ってそれぞれガラス板を完全に貫通する分断クラックを生じさせるようにした前記方法およびこの方法を実施するための装置に関するものである。
【背景技術】
【０００２】
今日では、互いに結合される２つのガラス板（複合ガラス板）から成る液晶ディスプレイおよび他の電子ディスプレイは、規格サイズで大量に同時に製造して利益をはかり、次に複合ガラス板を分断することにより個別化されるが、特にこの種の液晶ディスプレイおよび他の電子ディスプレイの開発に伴って、複合ガラス板を分断する際の高品質エッジに対する要求および微塵を含まない製造に対する要求が高まっている。
【０００３】
１つの適当な複合ガラス板をいくつかのディスプレイに分断する場合、１つのディスプレイを画成しているそれぞれ２つの接着剤ストライプ（接着線）の間に設定された所定の分断線に沿って２つのガラス板をそれぞれ分断させる。分断線はたとえば充填パイプにおいて接着線を横切るように延在することもある。ガラス板の間にあるコンタクトストライプを露出させるため、両ガラス板のうち一方のガラス板のみを切り離すこともある。ガラス板はほぼ０．２ないし１ｍｍの厚さを持ち、複合状態では、接着線の厚さによって決定されるμｍ範囲の間隔を持っている。
【０００４】
レーザーを用いて複合ガラス板を分断させることが知られている。この場合、水平方向に載置されている複合ガラス板の上部ガラス板に対し上側からレーザー光線を作用させ、下部ガラス板に対しては下側からレーザー光線を作用させる。
【０００５】
この種の方法を実施するための装置は特許文献１から知られている。ここに記載され、図２に図示された装置は、担持体３４を有し、担持体３４には、作業テーブル３６と、作業テーブル３６の上方に配置される上部レーザーヘッド３８ａと、作業テーブル３６の下方に配置される下部レーザーヘッド３８ｂとが取り付けられている。作業テーブル３６は直線的な開口部３７を有している。
【０００６】
複合ガラス板３２を分断させるため、装置は、両ガラス板を貫通するように設定された分断線が直線開口部３７に沿って延びるように、作業テーブル３６上に位置決めされる。上部レーザーヘッド３８ａからは、第１のレーザービームが上部ガラス板に対し向けられ、すなわち複合ガラス板３２の上部外面に対し向けられ、下部レーザーヘッド３８ｂからは、第２のレーザービームが直線的な開口部３７（作業隙間）を貫通させて下部ガラス板に対し向けられ、すなわち複合ガラス板３２の下部外面に対し向けられる。これは同時に行なわれ、或いは、時間的に連続して行なわれる。
【０００７】
複合ガラス板の接着剤層をいかに切断するかは未解決のままである。
【０００８】
実際面からは、複合ガラス板の両側をレーザーを用いて分断するための作業テーブルが知られている。作業テーブルは、固定部分と、該固定部分に対し水平方向に移動可能な位置調整部分とから成る。固定部分と位置調整部分とはそれぞれ同一面内に載置面を有している。
【０００９】
加工される複合ガラス板は、基本的には、２つのサイドエッジと１つのフロントエッジと１つのエンドエッジとを備えた長方形であり、２つのサイドエッジのうち一方のサイドエッジが固定部分のサイドガイドレールに対し当接するようにフロントエッジを位置調整部分に対して整合させて複合ガラス板が固定部分上に載置される。複合ガラス板を作業テーブル上で変位させるため、間接的に直線駆動可能な少なくとも２つのスライドグリップにより複合ガラス板のエンドエッジが締め付けられる。スライドグリッパーはこのために設けられた溝（サイドガイドレールに対し平行に固定部分および位置調整部分に形成される）の中を変位し、切り離されるそれぞれのストライプ幅のぶんだけ複合ガラス板を歩進的に変位させるようになっている。
【００１０】
作業テーブルを複合ガラス板の種々の幅に対しフレキシブルに使用できるようにするため、固定部分の幅方向に多数の溝が設けられ、これらの溝の中でスライドグリッパーは変位することができる。固定部分に設けた溝と整列するように、同じ幅の溝が位置調整部分に設けられ、最後に切断したエッジ部分も固定部分をまたいで位置調整部分へ変位させることができるようになっている。溝の間には吸着面があり、これらの吸着面を介して切断過程の間に複合ガラス板を作業テーブル上で摩擦により保持することができる。
【００１１】
上記の作業テーブルの主な欠点は２つある。
１．上側から切断する場合、複合ガラスは閉じた作業テーブル上に載置される。すなわち位置調整部分はほとんど隙間なしに固定部分に対しつき合わされる。複合ガラスの載置面は位置調整部分と固定部分の表面構造により形成され、該表面構造は吸着面と溝とで決定されている。レーザー光線を上側から所望の分断線に沿って複合ガラス板の上部外面に対し誘導すると、複合ガラス板の下部外面からの放熱が不均一であるために、分断線に沿って不均一な熱応力が発生する。
吸着面上の平面載置領域には、吸着面の材料に依存した熱伝導が行われるのに対し、溝の上方ではもっぱら熱線で放熱が行なわれる。
分断線に沿って熱挙動が異なっているために、エッジクオリティにネガティブな影響を与える。
２．下側から切断する場合は、位置調整部分は作業隙間をも含めて固定部分に対しつき合わせられる。作業隙間の幅は、作業隙間を通じてレーザービームを下側から複合ガラス板に対し指向させる工具ヘッドの必要な運動自由空間によって決定されている。上側からの切断の場合とは異なり、分断線に沿った熱挙動は同一であり、すなわち熱は複合ガラス板の上部外面から均一に熱線で放出される。しかしながら、エッジ切断の場合には、切断中エッジがコントロール不能にならないようにするために、エッジは少なくとも作業テーブルに載置されるほどの幅でなければならないという問題が生じる。したがってエッジに対する最小幅はフロントエッジとエンドエッジとに生じ、これは屑材料を増やすので望ましいものではない。
【００１２】
【特許文献１】米国特許第６５７６８７０Ｂ２号明細書
【発明の開示】
【発明が解決しようとする課題】
【００１３】
本発明の課題は、複合ガラス板をレーザーを用いて高エッジクオリティでストライプに分断できるような、特に幅狭のエッジストライプを切断できるような方法およびこれに適した装置を提供することである。
【課題を解決するための手段】
【００１４】
この課題は、方法に関しては、レーザー光線と冷媒流とを下側から下部ガラス板の外面に対し指向させ、上部ガラス板の外面を介してレーザーによりもたらされた熱をヒートパイプにより取り出すこと、分断線の領域にある接着剤層を引き剥がすための機械的な力を上側から分断線にもたらして、分断線のまわりに下方へ複合ガラス板を曲げること、レーザー光線と冷媒流とを上側から上部ガラス板の外面へ指向させることにより、分断線に沿って上部ガラス板を切断することによって解決される。
【００１５】
また、この方法を実施するための装置においては、作業テーブル固定部分と位置調整部分の一方に、溝の下方に位置するように、上方へ回動可能なフラップを備えたそれぞれ１つのフラップアッセンブリが取り付けられ、フラップが上方へ回動した位置で、その上にある溝が載置面の高さでフラップの一部分によって閉鎖され、且つフラップの他の部分が前記外側エッジを越えて突出していることにより、外側エッジを越えて突出するように載置されている複合ガラス板を支持するとともに、前記外側エッジに境を接している連続した載置面を形成させること、所定の作業隙間よりも幅狭で、作業隙間を介して位置決め可能で且つ降下可能な押さえが設けられ、押さえを支台およびヒートシンクとして複合ガラス板に当接させるとともに、該押さえを介して複合ガラス板に対し曲げ力を作用させることによって解決される。
【００１６】
有利な実施態様は従属項に記載されている。
【００１７】
本発明による装置においては、特に降下可能な押さえが設けられる。押さえは、分断線に対し機械的曲げ力を作用させるための機械的スタートクラックを設定する際の支台として用いられ、且つヒートシンクとしても用いることができる。さらに回動可能なフラップが設けられる。フラップは、上側から分断するために連続した平坦な複合ガラス板載置面を提供するとともに、幅狭のエッジストライプだけを下側から切断する際に機械的な支持の用を成して、重力によるエッジストライプの裂傷を避けるためのものである。
【００１８】
本発明による方法においては、特に強制的に分断の順序が設定される。すなわちまず下部ガラス板が切断され、次に接着剤層が、そして上部ガラス板が切断される。また、本発明による方法においては、機械的な曲げ力を作用させることにより接着剤層の切断を行なう。
【発明を実施するための最良の形態】
【００１９】
次に、本発明の実施形態を添付の図面を用いて詳細に説明する。
本発明による装置は、図１に示したように、従来の技術から知られている装置と同様に、実質的に、固定部分１と該固定部分１に対し水平方向に位置調整可能な位置調整部分２とを有する作業テーブルと、作業テーブル上方を移動可能な上部工具ヘッド３と、作業テーブルの下方において作業テーブルの幅にわたって移動可能な下部工具ヘッド４とから構成されている。工具ヘッド３，４はそれぞれレーザービーム放出口または冷媒放出口を有しており、該レーザービーム放出口または冷媒放出口を介してそれぞれレーザービームまたは冷媒は当業者にとって公知の態様で複合ガラス板６へ向けられる。
【００２０】
固定部分１と位置調整部分２はそれぞれ共通の水平面内に載置面を有し、該載置面上に、切断されるべき複合ガラス板６が載置される。複合ガラス板６は、通常のごとく、２つのサイドエッジと１つのフロントエッジと１つのエンドエッジとを備えた矩形である。
【００２１】
図では、複合ガラス板６は、フロントエッジ７に境を接しているエッジストライプを切断する位置にある。幅狭のエッジストライプだけを切り離すことができるように、フロントエッジ７は作業隙間５を介して位置調整部分２に当接する。作業隙間５は固定部分１および位置調整部分２の互いに平行に対向しあっている２つの外側エッジによって形成され、その方向は工具ヘッド３，４の移動方向に等しい。
【００２２】
作業隙間５の幅ａは、下部工具ヘッド４を用いて固定部分１と位置調整部分２との間においてレーザービームおよび冷媒流を所望の分断線に沿って下側から、載置されている複合ガラス板６へ向けるために必要な自由空間によって決定される。
【００２３】
上部工具ヘッド３を用いて上側から加工する場合には、位置調整部分２をほとんど隙間なしに固定部分１に対しつき合わせる。
【００２４】
図３は作業テーブルの固定部分１の斜視図である。固定部分１の載置面は、溝９によって中断される多数の吸着面８によって形成されている前部領域と、後部領域の載置用細条部１０とによって形成される。載置用細条部１０には、互いに連通し且つ圧縮空気源とも連通している複数個の穴が設けられ、これにより、複合ガラス板６を位置調整部分２の方向へ移動させている間、載置用細条部１０をエアベアリングとして作動させることができる。
【００２５】
実際面から知られている作業テーブルの説明の際にすでに述べたように、複合ガラス板６をそのエンドエッジにおいて締め付けるスライドグリッパーを変位させることができるようにするには、溝９が必要である。複合ガラス板６を搬送中に、載置用細条部１０の間にあるスライドグリッパーは載置用細条部１０を通じて溝９の中へ変位する。その際、吸着面８に設けた前記穴を介して圧縮空気が流出し、これにより吸着面８の上方には、複合ガラス板６を傷つけないようにしてその都度次の作業ポジションへ搬送させるためのエアクッションが形成される。
【００２６】
図２ａおよび図２ｂにおいて前部領域が図示されている位置調整部分２は、少なくとも載置面の構成および作用に関しては、以下の相違点を除き実質的に固定部分１に対応して構成されている。
【００２７】
相違点とは、位置調整部分２にはそれぞれ溝９の下方にフラップアッセンブリ１１が取り付けられ、溝端がより大きな繰り抜き部１２に開口し、該繰り抜き部１２にそれぞれ、フラップアッセンブリ１１に帰属する回動可能なフラップ１３が配置されていることである。
【００２８】
図４ａと図４ｂには、この種のフラップアッセンブリ１１の可能な実施形態が図示されている。案内されているリニアドライブ１４は、揺動部１６を介して、位置調整部分２の繰り抜き部１２で回転可能に支持されているフラップ１３と結合されている。リニア運動はフラップ１３の回転運動に変換され、フラップ１３を、該フラップ１３の上面が作業テーブルの載置面の面に位置決めされる上昇作業位置と、下降静止位置との間で回動させる。
【００２９】
フラップ１３の上昇作業位置においては、フラップ１３は特に作業隙間５を橋絡し、或いは、作業隙間５がない場合には固定部分１および位置調整部分２の溝端を閉鎖させる。両ケースとも本発明の作用を満足させる。
【００３０】
下側から加工する場合（強制的に、十分な作業隙間５がなければならない）、幅狭のエッジストライプ（作業隙間の幅ａの半分の狭さ）を切断する際に、フラップ１３はそれぞれクラックの形成に引き続いて上昇せしめられ、これにより、複合ガラス板６の、作業隙間５を越えて突出している部分は、下側から機械的に支持される。よってエッジストライプの望ましくない、コントロール不能な亀裂を避けることができる。
【００３１】
上側から加工する場合（位置調整部分２は作業隙間５なしにほとんど隙間なしに固定部分１に突き合わせられる）には、上昇したフラップ１３は、分断線に沿った領域において複合ガラス板６の連続載置面のために機能し、したがって熱伝導による均一な放熱を達成させるために機能する。フラップ１３に対しては、固定部分１および位置調整部分２において吸着面８を形成している材料と少なくともほぼ同じ熱伝導率を持った材料を選定するのが有利である。複合ガラス板６は、所望の分断線が位置調整部分２の上方に延在するように位置決めするのが好ましい。
【００３２】
フラップアッセンブリ１１、特にそのフラップ１３の主な特徴は、本発明による装置を公知の技術水準から区別している点である。
【００３３】
他の相違点は、押さえ１７が配置されていることである。図５には、押さえ１７が位置調整部分２の上方にいかに取り付けられているが図示されている。押さえ１７は、図示した位置調整部分２上方の静止位置と、固定部分１と位置調整部分２との間にある作業隙間５の上方の作動位置との間で水平方向に移動可能である。さらに、押さえ１７は作業隙間５の中へ沈降可能、傾動可能である。
【００３４】
押さえ１７の長さは作業隙間５の長さに相当しており、作業テーブルの幅によって決定される。押さえ１７の幅は作業隙間５の幅ａよりも小さい。押さえ１７は、可撓性ができるだけ少なく且つ熱伝導性ができるだけ高い硬い材料から製造されているのが有利である。押さえ１７には複数の機能がある。方法に関しては、まず、下部ガラス板のサイドエッジにスタートクラックを機械的に設定する際の支台として用いる。次に、下部ガラス板を切断する間のヒートシンクとして用い、最後に、両側に載置されている複合ガラス板６の分断線に曲げ力を作用させ、場合によってはガラス板の間で分断線に沿って存在する接着剤層を切り離すための片持ち梁として用いる。
【００３５】
押さえ１７は、支台または片持ち梁としてのその機能を阻害させずに、パッシブなヒートシンクとしてもアクティブなヒートシンクとしても実施することができる。パッシブなヒートシンクの場合には、押さえ１７は高熱伝導率の中実な部材から製造される。アクティブなヒートシンクの場合には、冷媒管および対応的に冷媒供給および排出のための接続部材を備えている。
【００３６】
パッシブなヒートシンクは吸収した熱を周囲温度の影響だけで比較的時間をかけて熱線という形で放出するのに対し、アクティブなヒートシンクは熱をヒートパイプを介して温度選定可能な冷媒に受け渡す。冷媒の流動速度と温度とを介してヒートシンクからの放熱を制御することができるので、処理条件に対する適合が好適に可能である。
【００３７】
すでに述べたように、作業テーブル上に載置されている（固定部分１の載置面に載置されている）複合ガラス板６は、加工中に固定部分１の吸着面８だけで摩擦力により保持される。すなわち複合ガラス板６は作業隙間５の上方に自由に載置され、重力のためにわずかに湾曲しただけでその上にあるヒートシンクに対する密な面接触を失う。
【００３８】
直接的な作業領域でのヒートシンクとしての押さえ１７と複合ガラス板６との間の密な直接的な接触を確実にするため、下部工具ヘッド４に押圧ローラ１５（図１）が設けられている。好ましくは、下部工具ヘッド４の作用領域の前後に４つの押圧ローラをそれぞれ対を成すように取り付けるのがよい。下部工具ヘッド４の作用領域とは、工具、すなわちレーザービームおよび冷媒線が作用する領域である。押圧ローラ１５は、複合ガラス板６をできるだけ作用領域に接近させてヒートシンクとしての押さえ１７に対し押圧させ、可能な限り良好な熱伝導を保証するために用いる。
【００３９】
すでに述べたように、両側に載置される複合ガラス板６に対しては、押さえ１７を用いて分断線に曲げ力がもたらされる。狭いエッジストライプを画成している分断線に沿って接着剤層をも曲げ力で切り離すことができるようにするため（この場合複合ガラス板６は片側だけに載置される）、位置調整部分２の、作業隙間５を画成している外側エッジは、載置眼に対して傾動可能または上下動可能である。このための傾動角は＋／−３゜で十分である。位置調整部分２上にある切断されたエッジストライプを捕集容器内へ排出させるため、前記外側エッジはほぼ２５゜だけ下方へも傾動可能である。
【００４０】
次に、以上説明した装置の機能を、本発明による方法の実施の説明に関連させて説明する。
複合ガラス板６はたとえば１．３０ｍの幅と、１．５０ｍの長さとを持ち、厚さがたとえばそれぞれ０．２ｍｍの２枚のガラス板から構成され、２つの幅狭のエッジストライプと装置の作業隙間５よりも大きな幅の多数の利用ストライプとに分断するものとする。
【００４１】
複合ガラス板６は液晶ディスプレイの製造のためのものである。液晶ディスプレイは互いに横に並べられ、それぞれ矩形に延在する数μｍの厚さの接着線によって画成されている。複合ガラス板６を個々の利用ストップに分断する際、および、これに引き続いて利用ストライプを分断してディプレイを個別化する際、複合ガラス板６を互いに平行に延びている２つの接着線の間で切断するが、これに対し垂直に延びる接着線も切断する。すなわち分断線はガラス・空気・ガラス層にわたって延在し、且つガラス・接着剤・ガラス層にわたっても延在する。
【００４２】
本発明による方法はその諸条件に適合され、分断線に沿って層構造が異なっていても分断線に沿った高いエッジクオリティを可能にする。
【００４３】
本発明による方法によれば、１つの複合ガラス板６を３つの作業ステップで分断する。
・まず、下部ガラス板をレーザービームと冷媒線の作用により下側から切断する。
・次に、接着剤層を分断線に作用する曲げ力により切断する。
・最後に、上部ガラス板をレーザービームと冷媒線の作用により上側から切断する。
【００４４】
個々の作業ステップを具体的にいかに実施するか、特に曲げ力をいかに作用させるかは、下部ガラス板を切断する際に複合ガラス板６が幅狭のエッジストライプの切断の場合のように片側のみに載置されているか、或いは、利用ストライプの切断の場合のように両側に載置されているかどうかに応じて異なるので、以下では、幅狭のエッジストライプを切断する方法と、利用ストライプを切断する方法とで別個に説明する。
【００４５】
幅狭のエッジストライプの切断方法は以下のとおりである。
複合ガラス板６の下部ガラス板を切断する準備を行なうため、位置調整部分２を、幅ａの所定の作業隙間５を残して作業テーブルの固定部分１に突き当て、下部工具ヘッド４を、作業隙間５の一端の下方にあるスタートポジションへ位置決めさせる。分断する複合ガラス板６を、作業隙間５を越えるように搬送し、そしてエッジストライプを切り離す所定の分断線が作業隙間５に沿って中心に延在するように位置決めする。次に、固定部分１の吸着面８を介して複合ガラス板６をこの位置に固定させる。非常に狭いエッジストライプを切り離すため、複合ガラス板６のフロントエッジ７を位置調整部分２の載置面上へ載置せずに、作業隙間５上方の任意の位置に設置する。押さえ１７を、作業隙間５の上方にて複合ガラス板６に当接するように位置決めする。
【００４６】
分断線に沿ってクラックのための所定のスタートポイントを設定するため、下部ガラス板のエッジに、たとえばダイヤモンドホイールを用いてスタートクラックを準備する。この場合押さえ１７は引っかき傷を付ける際の機械的な力に対し支台の用を成す。
【００４７】
所定のスタートクラックが設定されない場合には、既存の微小クラックからクラックを形成させるか、或いは、微小クラックを設定した後に、下部工具ヘッド４を作動させ、作業隙間５に沿ってそのスタートポジションから作業隙間５の他端のエンドポジションへ所定の速度で移動させる。その際、放出されるレーザービームにより所定の分断線に沿って熱が発生し、よって圧縮応力か発生し、次の冷媒流によって放熱し、引張り応力が発生する。応力差がガラスの臨界破断応力を越えると、ガラスにクラックが生じ、このクラックは分断線に沿って進行する。処理パラメータ、すなわち特に下部工具ヘッド４を複合ガラス板６に対し相対的に移動させるときの速度（処理速度）、ガラス表面に投射されるレーザービームスポットの長さ、レーザービームと冷媒流との間隔、レーザーエネルギーは、形成されたクラックが複合ガラス板６の下部ガラス板を完全に貫通するように当業者により選択され（切断クラック）、ガラス板の厚さに整合せしめられる。下部工具ヘッド４に引き続いて、したがって切断クラックに引き続いて、フラップ１３をその下降静止位置からその作業位置へ上昇させ、その際下側から複合ガラス板６に対し当接させる。したがってフラップ１３は、複合ガラス板６の、作業隙間５を越えて突出している部分を、下側から支持して、切り離されるエッジストライプが任意にもぎ取られるのを阻止する。
【００４８】
下部ガラス板に分断クラックを形成させている間に、作業隙間５上方にて上部ガラス板に残っている押さえ１７を、切断過程中にヒートシンクとして用いる。すなわち、レーザーによってもたらされる熱（次の冷媒流によって奪い取られず、複合ガラス板６の上部ガラス板の中へ伝えられる）をこのヒートシンクを介して奪い取る。
【００４９】
下部ガラス板を切断させた後、場合によっては下部ガラス板と上部ガラス板とを分断線に沿って結合させている接着剤層を切り離す。位置調整部分２を、ほぼ１ｍｍの残存隙間を残して固定部分１につき合わせる。この場合フラップ１３は上昇作業位置に留まっており、それぞれ固定部分１の１つの溝９に挿入されている。固定部分１の吸着面８による複合ガラス板６の付着を中断させ、複合ガラス板６を、分断線が残存隙間の上方に来るまで固定部分１の載置面上で引張り戻す。
【００５０】
次に、固定部分１の吸着面８を介して複合ガラス板６を新たに固定させ、その際エッジストライプを位置調整部分２の載置面上に載置させる。次に、作業隙間５を画成している位置調整部分２の外側エッジをわずかに持ち上げ、よって分断線に作用する曲げモーメントを生じさせて接着剤層に分断線に沿ってクラックを生じさせる。
【００５１】
位置調整部分２の外側エッジを再び降下させた後、位置調整部分２を固定部分１に対しほぼ完全につき合わせることができる。ただし、外側エッジ同士の機械的接触を避けるため、最小隙間は残す。しかし、固定部分１と位置調整部分２との間隔を不変にしておいてもよく、複合ガラス板６を、分断線が固定部分１と位置調整部分２との間に延在せずに、有利には位置調整部分２上に延在するように位置決めする。位置調整部分２と固定部分１との、それぞれ互いに整列しあっている溝端は、フラップ１３によって仕切り線周囲領域において閉鎖され、すなわち複合ガラス板６はこの時点で仕切り線周囲領域において連続した載置面上に載置された状態にある。
【００５２】
このとき、上部工具ヘッド３を仕切り線の一端にあるそのスタートポジションへもたらす。下部工具ヘッド４の上記作動態様に対応して、上部工具ヘッド３を用いて上部ガラス板を仕切り線に沿って切断させる。
【００５３】
複合ガラス板６のエッジストライプを完全に切り離した後、位置調整部分２を固定部分１から押し離す。エッジストライプは位置調整部分２の載置面上に残り、たとえば位置調整部分２の傾動運動により廃棄容器の中へ排出させる。
【００５４】
これにより、フロントエッジ７に境を接しているエッジストライプの切り離しが終了する。
【００５５】
エンドエッジに境を接しているエッジストライプを切り離す場合、複合ガラス板６の残りの部分は、加工中に固定部分１の吸着面９によって保持させる代わりに、位置調整部分２の吸着面８によって保持させる。
【００５６】
利用ストライプを切り離す方法：
この方法の準備がエッジストライプを切り離すための準備と異なっているは、複合ガラス板６が作業隙間５の両側に載置されるように複合ガラス板６を作業隙間５の上方に位置決めすることである。
【００５７】
幅狭のエッジストライプを切り離す方法の場合と同様に下部ガラス板を切断させた後（ただしフラップ１３は上昇させない）、接着剤層を切り離す。このため、複合ガラス板６が分断線のまわりに曲げを蒙るように押さえ１７を作業隙間５内へ降下させる。下部ガラス板の切断エッジを互いに押し離すと、接着剤層（接着点）は切断クラックの延長線上で裂ける。この代わりに、押さえ１７を載置面に対し平行に降下させ、或いは、一定の角度だけ傾斜させて降下させるようにしてもよく、これにより互いに横に並んでいる接着点は複合ガラス板６の１つのサイドエッジを起点として他のサイドエッジのほうへ裂ける。次に押さえ１７を再び持ち上げ、位置調整部分２上方のその静止位置へ戻す。
【００５８】
この時点で位置調整部分２をほとんど隙間なく固定部分１に対しつき合わせる。その際フラップ１３をその作業位置へ上昇させ、該フラップをそれぞれ位置調整部分２の１つの溝９の中へ挿入させる。位置調整部分２と固定部分１との互いに整列しあっている溝端は、分断線周囲領域でフラップにより閉鎖され、すなわち複合ガラス板６は分断線周囲領域において連続した載置面上に載置された状態にある。
【００５９】
上部工具ヘッド３を、分断線の一端にあるそのスタートポジションへもたらす。前述した下部工具ヘッド４の作動態様に対応して、上部工具ヘッド３を用いて上部ガラス板を分断線に沿って切断する。
【００６０】
この時点で完全に切り離された利用ストライプを、位置調整部分２を介して搬出させる。
【００６１】
複合ガラス板６の利用ストライプを切り離すための上記方法ステップを反復し、その際エンドエッジにエッジトリミング部が形成されるまで複合ガラス板６をそれぞれ分断線の両側に載置させる。
【００６２】
本発明の技術分野の当業者であれば、本発明が例示した上記の個々の実施形態に限定されるものではなく、請求の範囲に記載の本発明の範囲から逸脱することなく、本発明を他の特殊な形態で具体化してもよいことは明らかである。
【図面の簡単な説明】
【００６３】
【図１】本発明による装置の原理を説明する図である。
【図２ａ】位置調整部分の前部領域の斜視図である。
【図２ｂ】図２ａの位置調整部分の一部を下から見た図である。
【図３】固定部分の斜視図である。
【図４ａ】フラップが下方へ回動しているフラップアッセンブリを下から見た斜視図である。
【図４ｂ】図４のフラップアッセンブリを、フラップが上方へ回動した状態で示した図である。
【図５】支台と押さえとを併せて示した位置調整部分の図である。
【符号の説明】
【００６４】
１                  固定部分
２                  位置調整部分
３                  上部工具ヘッド
４                  下部工具ヘッド
５                  作業隙間
６                  複合ガラス板
７                  フロントエッジ
８                  吸着面
９                  溝
１０                載置用細条部
１１                フラップアッセンブリ
１２                繰り抜き部
１３                フラップ
１４                リニアドライブ
１５                押圧ローラ
１６                揺動部
１７                押さえ
ａ                  作業隙間の幅
【図１】
2008201669.tif 000003
【図２ａ】
2008201669.tif 000004
【図２ｂ】
2008201669.tif 000005
【図３】
2008201669.tif 000006
【図４ａ】
2008201669.tif 000007
【図４ｂ】
2008201669.tif 000008
【図５】
2008201669.tif 000009